(57)【要約】【課題】利用者に対して適正な着衣支援を与えるドレッシングシステムを提供することにある。【解決手段】制御装置５は服飾アイテム画像データベースＤ４から登録されているいる服飾アイテムの画像を検索条件に応じて読み出し、読み出した服飾アイテム画像データを画像表示部５５からミラー液晶６の液晶表示装置６ａに送り、ミラー液晶６のハーフミラーの鏡面に映される利用者Ｍの姿の各部位に対応させて液晶表示装置６ａにより表示させる。【選択図】図１
2006331129.tif 000002
【特許請求の範囲】
【請求項１】
服飾アイテム情報及び該服飾アイテム情報に対応する属性を記憶する記憶手段を有し、該記憶手段に登録している服飾アイテム情報及び属性に基づいて利用者に着衣支援情報を生成する制御装置と、前記着衣支援情報の生成に用いる検索条件を前記制御装置に与える指示手段と、前記制御装置により生成される着衣支援情報を利用者に提示する提示手段とを備えていることを特徴とするドレッシングシステム。
【請求項２】
前記制御装置は、時季情報や天候情報を参照して時季や天候に適した服飾アイテムを提案する着衣支援情報を生成することを特徴とする請求項１記載のドレッシングシステム。
【請求項３】
前記服飾アイテムを収納する複数の収納部と、各収納部に収納される前記服飾アイテムに付けられたタグのＩＤ情報を読み取るリーダー手段と、各収納部に設けられた発光表示部とを備え、前記制御装置には、前記リーダー手段が読み取るＩＤ情報に基づいて当該ＩＤ情報に対応するタグを付けた服飾アイテムの収納部の情報を服飾アイテムの属性として前記記憶手段に記憶させ、着衣支援情報として提案する服飾アイテムが収納されている収納部情報を前記記憶手段から読み出して当該収納部の前記発光表示部を点灯させる手段とを備えていることを特徴とする請求項１又は２記載の記載のドレッシングシステム。
【請求項４】
利用者個人を特定する手段を備え、該手段で特定される個人に応じた服飾アイテムを提案する着衣支援情報を生成することを特徴とする請求項１乃至３の何れか記載のドレッシングシステム。
【請求項５】
前記制御装置は、服飾アイテム情報として各服飾アイテムに対する利用者の着心地を数値化した情報として入力させる手段と、入力された着心地情報の履歴から当該利用者の体型変化データを取得する手段とを有していることを特徴とする請求項１乃至４の何れか記載のドレッシングシステム。
【請求項６】
前記制御装置には、体型変化データに基づいて体型管理を行うための食事情報を提供する手段を有していることを特徴とする請求項５記載のドレッシングシステム。
【請求項７】
前記制御装置には、体型変化データを基に、浴室の入浴環境を制御する手段を有していることを特徴とする請求項５記載のドレッシングシステム。
【発明の詳細な説明】
【技術分野】
【０００１】
本発明は、服飾アイテムの情報管理を行うドレッシングシステムに関するものである。
【背景技術】
【０００２】
従来服飾アイテムの情報を管理する装置としては、保有する服飾アイテムを一つ一つ、ビデオカメラ、電子カメラ、スキャナ等を使用して電子画像としてデータベースに蓄えて管理し、管理している服飾アイテムの組み合わせを画像により検討する機能を備えた服飾データ管理装置が提供されている（例えば、特許文献１）。
【０００３】
一方、利用者が服飾アイテムを身にまとった状態を複数パターン撮影して、その撮影画像を一旦保存し、その後保存画像と背景画像とを合成してモニタに映し出させ、その画像から利用者自身がどの服飾アイテムが似合うかどうかを判断する映像装置も提案されている（例えば、特許文献２）。
【特許文献１】特開平７−２４３１１２号公報（段落番号００２５）
【特許文献２】実開平４−３６３７７号公報（明細書第１２頁第１３行乃至第１３頁第３行）
【発明の開示】
【発明が解決しようとする課題】
【０００４】
ところで、特許文献１や特許文献２に開示の装置は利用者自身が服飾アイテムの画像を見て利用者自身が組み合わせを選択するもので、装置側から積極的に利用者に着衣支援を与えるものではなかった。
【０００５】
本発明は、上述の点に鑑みて為されたもので、その目的とするところは、利用者に対して適正な着衣支援を与えるドレッシングシステムを提供することにある。
【課題を解決するための手段】
【０００６】
上述の目的を達成するために、請求項１の発明では、服飾アイテム情報及び該服飾アイテム情報に対応する属性を記憶する記憶手段を有し、該記憶手段に登録している服飾アイテム情報及び属性に基づいて利用者に着衣支援情報を生成する制御装置と、前記着衣支援情報の生成に用いる検索条件を前記制御装置に与える指示手段と、前記制御装置により生成される着衣支援情報を利用者に提示する提示手段とを備えていることを特徴とする。
【０００７】
請求項１の発明によれば、利用者の着衣状態から服飾アイテムの情報を取得し、その取得した情報と属性から利用者にシステム側から提示手段を通して着衣支援情報を提示することができる。
【０００８】
請求項２の発明では、請求項１の発明において、前記制御装置は、時季情報や天候情報を参照して時季や天候に適した服飾アイテムを提案する着衣支援情報を生成することを特徴とする。
【０００９】
請求項２の発明によれば、時季や天候に適している服飾アイテムを利用者に提案することができる。
【００１０】
請求項３の発明では、請求項１又は２の発明において、前記服飾アイテムを収納する複数の収納部と、各収納部に収納される前記服飾アイテムに付けられたタグのＩＤ情報を読み取るリーダー手段と、各収納部に設けられた発光表示部とを備え、前記制御装置には、前記リーダー手段が読み取るＩＤ情報に基づいて当該ＩＤ情報に対応するタグを付けた服飾アイテムの収納部の情報を服飾アイテムの属性として前記記憶手段に記憶させ、着衣支援情報として提案する服飾アイテムが収納されている収納部情報を前記記憶手段から読み出して当該収納部の前記発光表示部を点灯させる手段とを備えていることを特徴とする。
【００１１】
請求項３の発明によれば、着衣支援情報として提案された服飾アイテムの収納場所を利用者に表示し、利用者が提案された服飾アイテムを捜し出す際に、収納場所が直感的に分かり、捜し出す手間を省くことができる。
【００１２】
請求項４の発明では、請求項１乃至３の何れかの発明において、利用者個人を特定する手段を備え、該手段で特定される個人に応じた服飾アイテムを提案する着衣支援情報を生成することを特徴とする。
【００１３】
請求項４の発明によれば、利用者に対応した服飾アイテムに基づいて着衣支援情報を生成することができる。
【００１４】
請求項５の発明では、請求項１乃至４の何れかの発明において、前記制御装置は、服飾アイテム情報として各服飾アイテムに対する利用者の着心地を数値化した情報として入力させる手段と、入力された着心地情報の履歴から当該利用者の体型変化データを取得する手段とを有していることを特徴とする。
【００１５】
請求項５の発明によれば、利用者の着心地情報の変化から、体重や体脂肪では把握しにくい利用者の体型の変化を把握することができる。
【００１６】
請求項６の発明では、請求項５の発明において、前記制御装置には、体型変化データに基づいて体型管理を行うための食事情報を提供する手段を有していることを特徴とする。
【００１７】
請求項６の発明によれば、利用者に食事情報を提供することで、体型が変化しないように管理することが可能となる、そのため体型変化によって着衣できなくなる服飾アイテムの発生を防ぐことができる。
【００１８】
請求項７の発明では、前記制御装置には、体型変化データを基に、浴室の入浴環境を制御する手段を有していることを特徴とする。
【００１９】
請求項７の発明によれば、体型が肥満傾向にある場合には元の体型に戻すように入浴環境を提供することができ、そのため体型変化によって着衣できなくなる服飾アイテムの発生を防ぐことができる。
【発明の効果】
【００２０】
本発明は、利用者の着衣状態から服飾アイテムの情報を取得し、その取得した情報と属性から利用者に提示手段を通して着衣支援情報を提示することができるという効果がある。
【発明を実施するための最良の形態】
【００２１】
以下本発明を一実施形態により説明する。
【００２２】
本実施形態は図１に示すように服飾アイテムの収納場所であるクローゼット１と対応させたシステムであり、図示するようにクローゼット１の内部には上着等の服飾アイテム等を吊り下げするハンガー部２と、ハンドバックやスカーフ等の小物の服飾アイテムを収納する引き出し部３と、カラーデジタルカメラからなる撮像カメラ４と、制御装置５とを設け、室内側に面したクローゼット１の壁に形成した開口部にはミラー液晶６を装着し、またこのミラー液晶６近傍の室内側壁面にはＲＦ型のＩＤタグ（ＩＣタグ）のリーダー装置７（リーダー／ライタ機能を備えているものでも良い）と、マイクＭＣと、設定／登録などの諸データを入力する液晶表示器とタッチパネルとからなる操作表示パネル８とを備え、立ち位置Ａの天井部にはマルチ光源からなる照明装置９を設けてある。
【００２３】
ここで、ミラー液晶６は後述する液晶表示装置６ａの表示面に金属蒸着などによりハーフミラーを形成したもので、液晶表示装置６ａの表示面と対応しないハーフミラー部位を介してクローゼット１内の撮像カメラ５によりミラー液晶６の前方の立ち位置Ａに立つ利用者Ｍの姿を撮影できるようになっている。また液晶表示装置６ａは利用者Ｍの姿を映すハーフミラーの鏡面部位に対応した大きさの表示面を有するもので、ハーフミラーの鏡面に映される利用者Ｍの各部位に対応した位置に後述するように対応する服飾アイテムの画像を表示できるようになっている。
【００２４】
クローゼット１内のハンガー部２のハンガー吊り下げ位置にはＬＥＤによる発光表示部１０ａを設け、また各引き出し部３には同様にＬＥＤによる発光表示部１０ｂを設け、更に各ハンガー吊り下げ位置及び各引き出し部３にはＩＤタグのリーダー装置７’…（図２参照）を設けてある。
【００２５】
更にミラー液晶６の前方の立ち位置Ａに対応して天井部にはマルチ光源による照明装置９を設けてある。
【００２６】
制御装置５は、撮像カメラ４により撮影して得られた画像データを取り込んで画像処理を行うとともに、システム全体の信号処理と、制御処理とを担うものであり、図２に示すようにマルチ光源からなる照明装置９を制御することで撮影位置の照明環境を利用者Ｍの指定する環境に設定する照明条件を生成する照明条件生成部５０と、この照明条件生成部５０により生成される照明条件により照明装置９を制御して所定の照明環境を創り出す照明制御部５１と、撮像カメラ４で撮影した利用者Ｍの全身画像から着衣している服装、アクセサリー等の服飾アイテムを、予め記憶部（図示せず）に登録しているパターンマッチング用の服飾アイテムの画像データとパターンマッチングを行って抽出する画像入力処理部５２と、画像入力処理部５２で得られた服飾アイテム画像における各色（例えばＲ（赤）、Ｇ（緑）、Ｂ（青））のヒストグラムを求めて服飾アイテムの色を決める画像ヒストグラム生成部５３と、服飾アイテムに附属している例えばＲＦ型のＩＤタグからリーダー装置７、７’が読み取ったＩＤ情報の処理を行うリーダー処理部５４と、ミラー液晶６の液晶表示装置６ａに画像を表示させるための処理を行う画像表示部５５と、発光表示部１０ａ、１０ｂの点灯制御を行う点灯制御部５６と、服飾メーカー等の服飾アイテムを製造するメーカーに設置してあるサーバ１１ａや天気情報提供会社に設置してある天候情報提供用のサーバ１１ｂに対してインターネット等のネットワークＮＴを介して通信を行い、サーバ１１ａ、１１ｂにより提供される服飾アイテムの諸データや天候情報を取得するための通信機能処理部５７と、マイクＭＣを通じて利用者Ｍの発話音声を取得し、その取得された発話音声からキーワードを認識して入力処理を行う音声認識部５８と、制御装置５全体の情報処理と、制御処理を担う情報処理部５９と、記憶手段として設けられる外部記憶装置等に構築される各種データベース（着衣履歴データベースＤ１、照明制御履歴データベースＤ２、着心地データベースＤ３、服飾アイテム画像データベースＤ４、収納場所管理データベースＤ５、服飾アイテム識別データベースＤ６、音声キーワードデータベースＤ７）とを備えている。
【００２７】
ここで情報処理部５９は、操作表示パネル８，音声認識部５８、通信機能処理機能部５７、リーダー装置７，７’から取得する情報の処理、操作表示パネル８の表示処理、更に点灯制御部１７を通じての発光表示部１０ａ、１０ｂの点灯制御処理、画像表示部５５を通じて液晶表示装置６ａでの表示制御、更に照明条件生成部５０での条件生成動作の制御、画像入力処理部１３の処理動作の制御、画像ヒストグラム生成部５３の生成動作の制御、更に各データベースＤ１〜Ｄ７に対する情報の登録（格納）処理と、登録（格納）されている情報の検索読み出し処理とを行う機能とを備えている。
【００２８】
而して本システムが起動すると、制御装置５の情報処理部５９は、操作表示パネル８の表示面のメニュー画面には服飾アイテムの登録、服飾アイテムの検索の操作釦を表示させ、制御装置５の各部の動作を待機状態に制御する。図３はこの状態のフローチャートを示し、ステップＳ１で服飾アイテムの登録の操作釦が押されたか否かのチェックを行い、押された場合には後述する服飾アイテム登録処理（ステップＳ２）へ移行する。ステップＳ１でのチェックが否か、或いは服飾アイテム登録処理が終了すると、次のステップＳ３で服飾アイテムの検索の操作釦が押されたか否かのチェックを行い、押された場合には服飾アイテム検索処理（ステップＳ４）へ移行する。ステップＳ３でのチェックが否か、或いは服飾アイテム検索処理が終了すると、ステップＳ５ではクローゼット１に対する服飾アイテムの入出のチェックを行い、入出がある場合にはステップＳ６で服飾アイテムの入出処理を行い、服飾アイテムのクローゼット１への入出が無いか、入出があってその処理が終了すると、ステップＳ７でシステムの動作を終了するか否かのチェックを行い、システムの動作を終了させない場合にはステップＳ１へ戻り、以後上述の処理を繰り返す。
【００２９】
次に上述のステップＳ１で服飾アイテムの登録の操作釦が押されて、登録が選択された場合には、制御装置５の情報処理部５９は図４のフローチャートで示す処理を開始するために操作表示パネル８の液晶表示器に処理過程に沿ってメニューやガイダンス表示を行い、利用者Ｍはこの表示に沿って以下の操作を行う。
【００３０】
まず、ステップＳ１０では新規登録のための服飾アイテム属性の登録処理を行う。この場合、利用者Ｍは、表１に示してある購入店舗、購入日時、金額、アイテム種別、メーカー、販売担当者等からなる服飾アイテム属性を操作表示パネル８で表示される入力ガイダンスに沿って、操作表示パネル８より入力する。この入力された服飾アイテム属性は、自動的に服飾アイテムＩＤが付されて情報処理部５９の制御の下で服飾アイテム識別データベースＤ６に登録される。表１はこの服飾アイテム識別データベースＤ６の登録例を示す。
【００３１】
【表１】
2006331129.tif 000003
【００３２】
表１では示していないが、服飾アイテムの属性として利用者個人の識別ＩＤを併せて登録することで夫々の服飾アイテムの利用者Ｍを特定できるようにする。
【００３３】
この服飾アイテム属性の登録処理後、新規服飾アイテムの画像の撮影する前に、撮影を行う際の照明条件を設定するか否かを操作表示パネル８の表示により利用者Ｍに問う（ステップＳ１１）。
【００３４】
この場合、既に設定されている照明条件で良ければ、設定を行わないを操作表示パネル８を通じて選択する。また新たな照明条件を設定する場合には操作表示パネル８により照明環境（屋外日中、夕景、夜景、ホール、宅内など）、照度（ルクス）、色温度（ケルビン）を、操作表示パネル８で表示される入力ガイダンスに沿って利用者Ｍが入力する（ステップＳ１２）。
【００３５】
この新たな照明条件が入力されると、入力内容に対応して情報処理部５９は、照明制御部５１を通じてマルチ光源からなる照明装置９を制御し、設定内容に対応した照明環境を再現する（ステップＳ１３）。既定の照明環境下、或いは新規の照明環境が再現された後、次に撮像カメラ４により服飾アイテム画像の撮影を行うか否かを操作表示パネル８の表示により利用者Ｍに問う（ステップＳ１４）。ここで利用者Ｍは撮影を行うを操作表示パネル８を通じて選択すると情報処理部５９の制御の下で撮像カメラ４により服飾アイテムやその服飾アイテムを着衣した利用者Ｍを撮影する（ステップＳ１５）。この撮影により得られた利用者Ｍの姿画像は画像入力処理部５２に取り込まれ、画像入力処理部５２は内蔵記憶部に登録している身体のパターンマッチング用画像と姿画像との位置合わせを行うとともに、撮像画像から身体特徴形状を除去する処理を行って、身体の上半身、下半身、頭部、手、足部位の身体エリア毎の装着されている服飾アイテムの画像を切り出してその服飾アイテムの画像データを服飾アイテム画像データベースＤ４に情報処理部５６の制御の下で登録するとともに、予め内蔵記憶部に登録している各種服飾アイテムのパターンマッチング用の画像データとのパターンマッチングにより夫々の服飾アイテムの種別を識別し、服飾アイテム毎に先に入力した服飾アイテム属性データを識別した種別と対応付けて、夫々の服飾アイテム画像データについて服飾アイテムＩＤを自動的に付す。またこの際撮影された姿画像において、抽出された全ての服飾アイテム群に対して画像ＩＤを対応付けて自動的に付す。表２は服飾アイテム画像データベースＤ４の登録例を示す。
【００３６】
【表２】
2006331129.tif 000004
【００３７】
さて撮影後、次のステップＳ１６において、画像入力処理部５２で抽出された服飾アイテムの画像に対して画像ヒストグラム生成部１４が各色のヒストグラムを求める処理を行い、服飾アイテムの色を決める。図５（ａ）、（ｂ）、（ｃ）はＲ（赤）、Ｂ（青）、Ｇ（緑）の３色によりヒストグラムを求めた例である。つまり図５（ａ）、（ｂ）、（ｃ）は画像を２５６階調のＲ、Ｇ、Ｂを用いて表した場合の濃度値の分布を示しており、図示例では青色の服飾アイテムを示す。勿論Ｒ、Ｇ、Ｂに限らず各種の表色系を指定して、ヒストグラムを作る処理を行っても良い。また、ヒストグラム処理に得た服飾アイテムの色を操作表示パネル８で表示させて利用者Ｍに提示して、その色が適当であるか否かの問いかけを行い、適当でない場合に利用者Ｍが操作表示パネル８の操作で服飾アイテム検索の色を指定することもできるようにしても良い。
【００３８】
而してこの服飾アイテムの色は夫々の服飾アイテムの属性として上述の服飾アイテム識別データベースＤ６に服飾アイテムＩＤに対応付けて登録される。
【００３９】
ステップＳ１５で撮影が選択されなかった場合、或いはヒストグラムの処理が終了すると、リーダー装置７が利用者Ｍが着衣している服飾アイテムにＩＤタグが付けられているか否かをチェックし（ステップＳ１７）、服飾アイテムにＩＤタグが付けられていてリーダー装置７がＩＤタグからＩＤ情報が読み取られる場合には、情報処理部５９はリーダー処理部５４を通じて受け取るＩＤ情報を服飾アイテム属性として、服飾アイテム識別データベースＤ６に表１に示すように当該服飾アイテムのＩＤに対応付けて登録する（ステップＳ１８）。
【００４０】
さてＩＤタグが服飾アイテムに付けられていない場合、或いはＩＤタグのＩＤの登録処理が終了すると、情報処理部５９は操作表示パネル８の表示を通じて利用者Ｍに音声キーワードを付加するか否かを問う（ステップＳ１９）。これに応じて利用者Ｍが音声キーワードを付加することを操作表示パネル８を通じて選択すると、情報処理部５９は音声認識部５８を通じて音声キーワードの取得状態となる。
【００４１】
この音声キーワードの取得状態において、利用者Ｍは、服飾アイテムを検索する際に用いる服飾アイテムに関連付けられたキーワードをマイクＭＣに向けて発話する。マイクＭＣにより取得されたキーワードの発話音声は、音声認識部５８により認識され、その認識データ（例えばテキストデータ）を受け取った情報処理部５９は音声キーワードデータベースＤ７に登録するとともに服飾アイテム識別データベースＤ６の付加する処理を行う（ステップＳ２０）。この音声キーワードの付加処理を行わない場合或いは付加処理が終了すると、服飾アイテム登録処理が完了することになる。尚表３は音声キーワードデータベースＤ７への登録例を示す。
【００４２】
【表３】
2006331129.tif 000005
【００４３】
このようにして利用者Ｍは服飾アイテムを着衣したときにクローゼット１の前に立ち、上述の登録のための操作等を行うことで、自動的に利用者Ｍの服飾アイテムの画像データが登録されるとともに、服飾アイテム識別データベースＤ６への服飾アイテム属性の登録が完了することになる。
【００４４】
ここで、着衣支援情報や利用者のを利用者Ｍに提示するために、本実施形態のシステムでは、利用者の着衣履歴と、着心地の履歴とを夫々のデータベースＤ１、Ｄ３に登録する処理も行うようになっている。
【００４５】
つまり着衣履歴は、服飾アイテム識別データベースＤ６によって管理される服飾アイテムについて、クローゼット１からの入出日時の履歴であって、実施形態では着衣開始日時と着衣終了日時とを着衣履歴としてデータベースＤ１に蓄える。この場合利用者Ｍが操作表示パネル８で服飾アイテムの入出力処理を選択し、その選択に応じて表示されるガイダンスに基づいてクローゼット１に入れる場合には服飾アイテムＩＤに関連付けて当該服飾アイテムの入れた日時を、またクローゼット１から出す場合には出した日時を入力する。またそのときの行き先と、利用者Ｍの名前を共に入力する。これらの入力があると、情報処理部５９はインターネットＮＴを介して天気情報提供会社の天気情報提供用のサーバ１１ｂからその日の大気と着衣開始から着衣終了までの平均気温を取得して蓄え、着衣履歴データベースＤ１に格納する処理を行う。このようにして服飾アイテム毎に着衣開始日時、着衣終了日時を記録し続け、過去の着衣履歴を参照することにより、その服飾アイテムがどの季節に着衣されているのかを求めることを可能とするのである。尚属性データからも季節にみあった着衣を求めることができる。
【００４６】
表４はこの着衣履歴データベースＤ１に格納された着衣履歴データ例を示す。
【００４７】
【表４】
2006331129.tif 000006
【００４８】
尚上述に利用者Ｍの名前を入力する代わりに音声認識を用いて利用者Ｍを特定するようにしても良い。この場合予め当該システムを利用する利用者Ｍの名前と音声データを登録しておき、着衣履歴データを登録する際に、マイクＭＣに向かって発話を行い、この発話に対応する音声データをマイクＭＣから音声認識手段５９が取得し、この取得した音声データに一致する音声データを、登録している音声データから検出して利用者Ｍを特定するよう８にしても良い。
【００４９】
一方着心地データベースＤ３に格納される着心地データは、利用者Ｍが着衣後に服飾アイテムの着心地を数値化したもので、この着心地としては、体重や体脂肪率では判断がつきにくい体型の変化を表す指標として用い、この着心地指標を着衣後に履歴として保存していくことにより、日々の体型変化を読み取ることを可能とするものであり、体型変化のデータから食事献立メニューの提案や入浴方法の提案も利用者Ｍに行うことも可能としている。ここで着心地データベースＤ３に、着心地の履歴を保存する動作について説明する。
この着心地は、利用者Ｍが今回の着衣した該服飾アイテムの着心地を利用者自身が操作表示パネル８を操作して登録する。例えばこの服飾アイテムの大きさについて１０段階評価で表しており、「数字の大きいはうが体型より服飾アイテムが大きい（ゆとりがある）」「数字の小さいはうが体型より服飾アイテムが小さい（きつい）」と決めている。また、備考について具体的に服飾アイテムのどの部位についての評価であるのかが記載できることとしている。表５はこの着心地データベースＤ３に格納された着心地データ例を示す。
【００５０】
【表５】
2006331129.tif 000007
【００５１】
また、服飾アイテムをクローゼット１に収納する際に、その収納場所を利用者Ｍが登録することで、服飾アイテムの収納場所を検索することができるようにするために、本実施形態では、ＩＣタグが付いている服飾アイテムについては、情報処理部５９の制御の下で収納場所管理データベースＤ５に自動的に登録できるようになっている。
【００５２】
つまり、服飾アイテムをハンガーによりハンガー部２の適所に吊り下げたり、或いは引き出し部３に収納した場合に、夫々の場所に設けたリーダー装置７’が吊り下げられた或いは収納された服飾アイテムに付けられているＩＣタグのＩＤ情報を読み取り、この読み取られたＩＤ情報がリーダー処理部５４を通じて情報処理部５９に送られるようになっている。情報処理部５９は取得したＩＤ情報に基づいて当該ＩＣタグを付けている服飾アイテムに対応した服飾アイテムＩＤと、リーダー装置７’に対応付けている収納場所を示す収納場所ＩＤと、内蔵時計から得られた収納日時とを収納場所管理データベースＤ５に格納する処理を行う。表６はこの収納場所管理データベースＤ５のデータ登録例を示す。
【００５３】
【表６】
2006331129.tif 000008
【００５４】
尚上述のように照明条件の設定履歴は、情報処理部５９の制御の下で、照明制御履歴データベースＤ２に服飾アイテムに対応付けて格納される。表７はこの履歴データの格納例を示す。
【００５５】
【表７】
2006331129.tif 000009
【００５６】
而して、上述のように各種データがデータベースＤ１〜Ｄ７に格納、登録されている状態で、利用者Ｍが着衣支援情報たる服飾アイテム情報をミラー液晶６の液晶表示装置６ａで表示させたい場合には、まず操作表示パネル８で表示されているメニューから検索を選択する。この選択があると、操作表示パネル８でのメニュー表示が情報処理部５９の制御の下で、利用者ＩＤや、行き先等の入力画面が表示され、利用者Ｍにこれらの入力を促し、入力終了が確認されると、制御装置５は検索処理を開始する。
【００５７】
まず制御装置５の情報処理部５９は、天候情報提供用のサーバ１１ｂから当地の今日の天候情報を検索条件の一つとして取り込む処理を行う。つまりサーバ１１ｂが検索条件の指示手段として働くことになる。この場合利用者Ｍが行き先を入力していると、その行き先の天候情報をも取り込む。また情報処理部５９は、内蔵カレンダー時計により今日の季節及び時刻情報を取り込むとともに、着衣履歴データベースＤ１から今日と同じ日時における過去の着衣履歴データを読み出す。そして過去の着衣履歴データから着衣されていた服飾アイテム群をピックアップし、この服飾アイテム群を基本とし、今日の天候情報（例えば、寒い、暑い、適温）などや雨、晴れ、曇りなどの天気具合などにに対応した色、素材などの異なる同種の服飾アイテムを基本アイテムと変更し、利用者Ｍに提案する服飾アイテムの組み合わせを決定する。尚情報処理部５９が服飾アイテムの組み合わせ情報を生成することができるように、識別データベースＤ６に服飾アイテムデータを登録する際に服飾アイテムの色によって寒色系、暖色系などの類別を行うとともに、属性データとして素材情報をも予め登録されているものとする。
【００５８】
服飾アイテムの組み合わせを決定後、情報処理部５９は、組み合わせられる各服飾アイテム画像を服飾アイテム画像データベースＤ４から読み出し、それらの服飾アイテム画像を、ミラー液晶６の前に立つ利用者Ｍのハーフミラーの鏡面に映る姿の各部位に対応した液晶表示装置６ａの画面位置に表示できるように夫々の服飾アイテムの画像を画像表示部５５で合成させ、提示手段である液晶表示装置６ａに表示させる。また同時にその服飾アイテムに対応する属性データも表示させる。
【００５９】
利用者Ｍはこの組み合わせが気に入れば、操作表示パネル８を操作して「ＯＫ」入力を行い、画面表示を情報処理部５９の制御の下で一定時間保持させる。そして利用者Ｍは表示画面で確認しながらローゼット１内から各服飾アイテムを取り出しで着衣すればよいことになる。
【００６０】
また表示されている服飾アイテム中気に入らない服飾アイテムが表示されている場合には、利用者Ｍは操作表示パネル８を操作して個別服飾アイテムの検索のためのメニュー画面を呼び出し、検索情報を入力して検索を行えば良い。
【００６１】
この個別服飾アイテムの検索では、操作表示パネル８に入力のガイダンスが表示され、利用者Ｍはこの表示に沿って検査条件や指定項目を入力する。
【００６２】
例えば図６に示すようにステップＳ３０では服飾アイテム属性を入力が促され、利用者Ｍはこの問いに答えて服飾アイテム属性による検索条件＜例えば白を基調としたコーディネイト、厚手の服装などの条件＞を入力する（ステップＳ３１）。この入力があると、情報処理部５９は検索条件追加の処理を行う（ステップＳ３２）。この場合、利用者Ｍが入力可能な検索条件は、服飾アイテム識別データベースＤ６の購入店舗、購入日時（範囲指定も可能）、金額（範囲指定も可能）、アイテム種別、メーカー、担当者であり、複数の検索条件の組み合わせも入力することができる。
【００６３】
次に情報処理部５９は、操作表示パネル８を通じて利用者Ｍに着衣履歴を指定するか否かを問い（ステップＳ３３）、利用者Ｍがこの問いに答えて着衣履歴条件を入力すると（ステップＳ３４）、情報処理部５９は、検索条件追加の処理を行う（ステップＳ３５）。
【００６４】
この場合、日時（月日）、天気、平均気温の３要素に優先順位を設定した検索条件を入力することも可能であって、月日から服飾アイテムを検索することにより、昨年より以前の同時期に着衣した服飾アイテムを抽出することができる。また月日から検索することにより、季節柄に適した服飾アイテムを効率的に抽出することもできる。更に春夏秋冬や誕生日、正月など年次定例行事などに適した服飾アイテムを抽出することもできる。
【００６５】
更に天気（天候）から服飾アイテムを検索することにより、雨や雪などの気象に適した服飾アイテムを抽出することもでき、更に雨や雪などのときに着衣すべき服飾アイテムを抽出することもでき、また更に平均気温から服飾アイテムを検索することにより、過去の平均気温と服飾アイテムの関係から、その気温に適した服飾アイテムを抽出することもでき、また当日の気温に適した服飾アイテムを抽出することもできる。
【００６６】
更に情報処理部５９は、操作表示パネル８を通じて利用者Ｍに画像ヒストグラムによるアイテム色を指定するか否かを問い（ステップＳ３６）、利用者Ｍがこの問いに答えてアイテム色検索条件を入力すると（ステップＳ３７）、情報処理部５９は、検索条件追加の処理を行う（ステップＳ３８）。
【００６７】
また更に情報処理部５９は、操作表示パネル８を通じて利用者Ｍに着心地条件を指定するか否かを問い（ステップＳ３９）、利用者Ｍがこの問いに答えて着心地検索条件を入力すると（ステップＳ４０）、情報処理部５９は、検索条件追加の処理を行う（ステップＳ４１）。
【００６８】
また、情報処理部５９は、操作表示パネル８を通じて利用者Ｍに照明条件を指定するか否かを問い（ステップＳ４２）、利用者Ｍがこの問いに答えて照明検索条件を入力すると（ステップＳ４３）、情報処理部５９は、検索条件追加の処理を行う（ステップＳ４４）。
【００６９】
更に情報処理部５９は、操作表示パネル８を通じて利用者Ｍに音声キーワードを指定するか否かを問い（ステップＳ４５）、利用者Ｍがこの問いに答えて音声検索条件を入力すると（ステップＳ４６）、情報処理部５９は、検索条件追加の処理を行う（ステップＳ４７）。
【００７０】
以上のようにして検索条件が入力されると、情報処理部５９は服飾アイテム検索処理を開始する（ステップＳ４８）。
【００７１】
尚利用者Ｍが利用者ＩＤによって特定されるため、当該利用者Ｍに対応した服飾アイテムのみを検索範囲と絞ることができ、検索時間が短縮できる。
【００７２】
而して上記の全ての検索条件が入力されるとすると、まず情報処理部５９は検索条件に対応した各データベースＤ１、Ｄ２、Ｄ３，Ｄ６，Ｄ７から検索条件に最も合致する服飾アイテムを抽出し、その抽出した服飾アイテムの服飾アイテムＩＤに対応する画像データを服飾アイテム画像データベースＤ４から抽出し、その抽出した服飾アイテム画像データを画像表示部５５に送り、該画像表示部５５により当該服飾アイテムの画像をミラー液晶６の液晶表示装置６ａに表示させる（ステップＳ４９）。この場合、既に表示されている服飾アイテム群内の対応する服飾アイテムが置き換わることになる。
【００７３】
このようにして利用者Ｍは自動的に提案された服飾アイテムの組み合わせから、更に自分の好みの服飾アイテムに置き換えることで、最終的には基本的な組み合わせを基に自分好みの服飾アイテムの組み合わせを選べることになる。
【００７４】
尚表示された服飾アイテムがＩＣタグ付きのものであって、クローゼット１に収納されている場所が収納場所管理データベースＤ５に登録されている場合には、液晶表示装置６ａにて収納場所をも表示させる。更に情報処理部５９は点灯制御部５６を通じて当該服飾アイテムが収納されている場所の発光表示部１０ａ或いは１０ｂを点灯させる。これにより利用者Ｍは、液晶表示装置６ａの表示によって服飾アイテムの組み合わせを知ることができるの勿論のこと、その服飾アイテムが収納されている場所も同時に判り、特に発光表示部１０ａ又は１０ｂの点灯によって収納場所が直感的（視覚的）に判るため、クローゼット１内に入れば利用者Ｍは服飾アイテムを迷うこと無く取り出すことができる。
【００７５】
尚本実施形態ではサーバ１１ｂの天候情報等を検索条件として自動的に検索が開始されるようになっているが、最初から利用者が入力する検索条件で検索する検索モードも選択できるようにしても良い。また検索条件を利用者自身で入力する場合やデータ入力する場合、服飾アイテム毎に操作表示パネル８を指示手段として入力操作を行うようになっているが、利用者Ｍから発話されたキーワードを音声認識部５８で認識して検索条件を取り込むようにしてよい。
【００７６】
更に制御装置５に、食事（例えば摂取カロリー等を考慮した食事）の料理レシピを格納した食事管理用データベース（図示せず）を設けるとともに、情報処理部５９に着心地データの履歴から体型変化データに変換して、この体型変化データに基づいて既存の服飾アイテムにフィットする体型を維持するための料理レシピを食事管理用データベースから検索抽出して台所等に設置した端末装置１２で提示させる機能を備え、利用者が食事に注意しながら既存の服飾アイテムにフィットする体型を管理することができるようにしてもよい。
【００７７】
また体型変化データを基に、浴室の給湯装置１３を制御してバスタブに供給する湯温を調整したり、入浴時間、家庭用サウナの入浴時間の提示など入浴環境を管理することで、入浴時の消費カロリーを管理し体型維持を図れるようにしてもよい。
【００７８】
上述の端末装置１２や給湯装置１３への制御信号は通信機能処理部５７から宅内ＬＡＮを通じて送るようにすればよい。
【図面の簡単な説明】
【００７９】
【図１】一実施形態のシステムの概略全体構成図である。
【図２】一実施形態に用いる制御装置の回路構成図である。
【図３】一実施形態の全体的な動作説明のフローチャートである。
【図４】一実施形態の服飾アイテム登録処理のフローチャートである。
【図５】一実施形態のヒストグラムの生成例を示し、（ａ）は赤色のヒストグラム例図、（ｂ）は緑色のヒストグラム例図、（ｃ）は青色のヒストグラム例図である。
【図６】一実施形態の服飾アイテムの検索処理のフローチャートである。
【符号の説明】
【００８０】
１  クローゼット
２  ハンガー部
３  引き出し部
４  撮像カメラ
５  制御装置
６  ミラー液晶
６ａ  液晶表示装置
７  リーダー装置
８  操作表示パネル
９  照明装置
１０ａ、１０ｂ  発光表示部
１１ａ、１１ｂｂ  サーバ
Ｍ  利用者
ＭＣ  マイク
ＮＴ  インターネット
【図１】
2006331129.tif 000010
【図２】
2006331129.tif 000011
【図３】
2006331129.tif 000012
【図４】
2006331129.tif 000013
【図５】
2006331129.tif 000014
【図６】
2006331129.tif 000015